(57)【要約】      （修正有）【課題】紙パックやポリ容器に差し込んでそのまま放置しても、振動や衝撃により、また強く握りしめたときの圧力により、もしくは倒しても、ストローから飲料水が洩れることがないストローを提供する。【解決手段】ストロー本体１と、このストロー本体の吸い口部分に形成した小径吸い口部２と、この小径吸い口部を覆うように吸い口側から被せられる筒状キャップ形状をしかつこの筒状キャップ形状の下端開口側がストロー本体の外周面に密着して一定距離を上下動する吸い口キャップ３と、この吸い口キャップの閉じている上端面に切り込みにより形成した開閉用割れ目４とからなり、かつ前記吸い口キャップが上下動の上端位置にあるときには前記小径吸い口部が吸い口キャップ内にあり、そして前記吸い口キャップが上下動の下端位置にあるときには前記小径吸い口部の吸い口が前記開閉用割れ目を押し開いて吸い口キャップ外に出るようにした。【選択図】図１
2006136517.tif 000002
【特許請求の範囲】
【請求項１】
ストロー本体と、このストロー本体の吸い口部分に形成した小径吸い口部と、この小径吸い口部を覆うように吸い口側から被せられる筒状キャップ形状をしかつこの筒状キャップ形状の下端開口側がストロー本体の外周面に密着して一定距離を上下動する吸い口キャップと、この吸い口キャップの閉じている上端面に切り込みにより形成した開閉用割れ目とからなり、
かつ前記吸い口キャップが上下動の上端位置にあるときには前記小径吸い口部が吸い口キャップ内にあり、そして前記吸い口キャップが上下動の下端位置にあるときには前記小径吸い口部の吸い口が前記開閉用割れ目を押し開いて吸い口キャップ外に出るようにしたことを特徴とする飲料水用ストロー。
【請求項２】
ストロー本体と、このストロー本体の吸い口部分に挿入固着される筒形状をしかつこの筒形状の外側に当たる上端面は開口すると共に内側に当たる下端面は閉じている吸い口開閉部材と、この吸い口開閉部材の前記下端面に切り込みにより形成した開閉用割れ目と、前記吸い口開閉部材の開口上端面から挿入されて吸い口開閉部材の内周面に密着して一定距離を上下動するように保持される可動吸い口部と、この可動吸い口部の下部に形成した小径部とからなり、
かつ前記可動吸い口部が上下動の上端位置にあるときにはその小径部が前記吸い口開閉部材内にあり、そして前記可動吸い口部が上下動の下端位置にあるときには前記小径部の下端口が前記吸い口開閉部材の開閉用割れ目を押し開いて吸い口開閉部材外に出てストロー本体内にあるようにしたことを特徴とする飲料水用ストロー。
【発明の詳細な説明】
【技術分野】
【０００１】
本発明は、紙パックやポリ容器等の飲料水容器のストロー差し込み部分に突き刺して使用する飲料水用ストローに関するものである。
【背景技術】
【０００２】
飲料水用ストローは、元々、コップなどに入った飲料水を吸引することから比較的長い一本ものになっている。
現在では、この比較的長い一本ものの他に、ストローの長さ方向の一部を蛇腹部としてこの蛇腹部で曲がるようにして吸引し易くしたものや、特許文献１にあるようにストロー全体を伸縮自在な二重管で構成して携帯時の利便性、紙パックやポリ容器等に添付するときの長さの制約性のために不使用時に短くなるようにしたものがある。
しかしながら、これらの従来のストローはいずれも紙パックやポリ容器等のストロー差し込み部分に突き刺して使用するときに使用者が意図せずに内部の飲料水をこぼしてしまう構造を有していた。
【特許文献１】実公平２−２６３９７号公報
【発明の開示】
【発明が解決しようとする課題】
【０００３】
本発明の解決しようとする問題は、前記した従来のものではいずれもストローが常時開口しているので、紙パックやポリ容器等のストロー差し込み部分に突き刺して使用するときに飲みかけで止めて放置すると、車中では走行中の振動や衝撃により飲料水がストローの吸い口から飛び出して車中に飛び散るし、また再度飲むときに強く握りしめたときの圧力により飲料水がストローの吸い口から飛び出して使用者にかかるし、さらに仕事や勉強中の人、高齢者や入院患者、手足の不自由な人などが倒したりすると飲料水がストローの吸い口からこぼれて汚すという点である。
【課題を解決するための手段】
【０００４】
本発明は、その第一態様において、ストロー本体と、このストロー本体の吸い口部分に形成した小径吸い口部と、この小径吸い口部を覆うように吸い口側から被せられる筒状キャップ形状をしかつこの筒状キャップ形状の下端開口側がストロー本体の外周面に密着して一定距離を上下動する吸い口キャップと、この吸い口キャップの閉じている上端面に切り込みにより形成した開閉用割れ目とからなり、かつ前記吸い口キャップが上下動の上端位置にあるときには前記小径吸い口部が吸い口キャップ内にあり、そして前記吸い口キャップが上下動の下端位置にあるときには前記小径吸い口部の吸い口が前記開閉用割れ目を押し開いて吸い口キャップ外に出るようにしたことを特徴とする。
【０００５】
本発明は、その第二態様において、ストロー本体と、このストロー本体の吸い口部分に挿入固着される筒形状をしかつこの筒形状の外側に当たる上端面は開口すると共に内側に当たる下端面は閉じている吸い口開閉部材と、この吸い口開閉部材の前記下端面に切り込みにより形成した開閉用割れ目と、前記吸い口開閉部材の開口上端面から挿入されて吸い口開閉部材の内周面に密着して一定距離を上下動するように保持される可動吸い口部と、この可動吸い口部の下部に形成した小径部とからなり、かつ前記可動吸い口部が上下動の上端位置にあるときにはその小径部が前記吸い口開閉部材内にあり、そして前記可動吸い口部が上下動の下端位置にあるときには前記小径部の下端口が前記吸い口開閉部材の開閉用割れ目を押し開いて吸い口開閉部材外に出てストロー本体内にあるようにしたことを特徴とする。
【発明の効果】
【０００６】
本発明の第一態様は、紙パックやポリ容器等のストロー差し込み部分に突き刺した使用状態で飲みかけで止めて放置するときに、吸い口キャップを上下動の上端位置、つまり小径吸い口部が吸い口キャップから突出しない上端位置に位置させておくと、吸い口キャップの閉じている上端面により小径吸い口部の吸い口が閉じられると共にストロー本体の外周面が吸い口キャップにより密閉されて飲料水が外に洩れないので、たとえ飲みかけで止めて放置しても、車中では走行中の振動や衝撃により飲料水がストローの吸い口から飛び出して車中に飛び散らないし、また再度飲むときに強く握りしめたときの圧力により飲料水がストローの吸い口から飛び出して使用者にかからないし、さらに仕事や勉強中の人、高齢者や入院患者、手足の不自由な人などが倒しても飲料水がストローの吸い口からこぼれて汚さないという効果がある。また、その際片手で紙パックやポリ容器等を持って吸い口キャップを口にくわえて小径吸い口部が吸い口キャップから突出して開口する下端位置から閉じた上端位置に引き出すことができるので、特に運転中など片手しか使えない使用状態では効果大である。さらに、このような簡易な構成によりストローの開閉ができる上に強い密閉力により洩れを皆無にすることができると共に、吸い口キャップが上下動の下端位置にあって小径吸い口部が吸い口キャップから突出した開口状態では、ストロー内での飲料水の流れが一直線になるので、豆乳やネクターなどの比較的粘性のある飲料水においてもスムーズに吸い出せるという効果がある。
【０００７】
本発明の第二態様は、紙パックやポリ容器等のストロー差し込み部分に突き刺した使用状態で飲みかけで止めて放置するときに、可動吸い口部を上下動の上端位置、つまり小径部が吸い口開閉部材から突出しない上端位置に位置させておくと、吸い口開閉部材の閉じている下端面により小径部の吸い口が閉じられると共に吸い口開閉部材の内周面が可動吸い口部により密閉されて飲料水が外に洩れないので、たとえ飲みかけで止めて放置しても、車中では走行中の振動や衝撃により飲料水がストローの吸い口から飛び出して車中に飛び散らないし、また再度飲むときに強く握りしめたときの圧力により飲料水がストローの吸い口から飛び出して使用者にかからないし、さらに仕事や勉強中の人、高齢者や入院患者、手足の不自由な人などが倒しても飲料水がストローの吸い口からこぼれて汚さないという効果がある。また、その際片手で紙パックやポリ容器等を持って可動吸い口部を口にくわえて小径部が吸い口開閉部材から突出して開口する下端位置から閉じた上端位置に引き出すことができるので、特に運転中など片手しか使えない使用状態では効果大である。さらに、このような簡易な構成によりストローの開閉ができる上に強い密閉力により洩れを皆無にすることができると共に、可動吸い口部が上下動の下端位置にあって小径部が吸い口開閉部材から突出した開口状態では、ストロー内での飲料水の流れが一直線になるので、豆乳やネクターなどの比較的粘性のある飲料水においてもスムーズに吸い出せるという効果がある。
【発明を実施するための最良の形態】
【０００８】
本発明の第一態様は、ストロー本体と、このストロー本体の吸い口部分に形成した小径吸い口部と、この小径吸い口部を覆うように吸い口側から被せられる筒状キャップ形状をしかつこの筒状キャップ形状の下端開口側がストロー本体の外周面に密着して一定距離を上下動する吸い口キャップとで構成して、その吸い口キャップをくわえた状態で口で動かしてストローの開閉を行えるようにすることにより、実現した。
【０００９】
本発明の第二態様は、ストロー本体と、このストロー本体の吸い口部分に挿入固着される筒形状をしかつこの筒形状の外側に当たる上端面は開口すると共に内側に当たる下端面は閉じている吸い口開閉部材と、この吸い口開閉部材の前記下端面に切り込みにより形成した開閉用割れ目と、前記吸い口開閉部材の開口上端面から挿入されて吸い口開閉部材の内周面に密着して一定距離を上下動するように保持される可動吸い口部と、この可動吸い口部の下部に形成した小径部とで構成して、その吸い口キャップをくわえた状態で口で動かしてストローの開閉を行えるようにすることにより、実現した。
【実施例１】
【００１０】
本発明の第一態様の一実施例を図１〜図４を用いて説明する。図１はストローの閉じた状態を示す部分断面の側面図、図２は図１の吸い口キャップを示す斜視図、図３は図１のストローの閉じた状態から吸い口キャップが移動してストローが開いた状態を示す部分断面の側面図、図４は図３を上からみた図である。
【００１１】
図において、１はストロー本体、２はストロー本体１の吸い口部分に形成した小径吸い口部、３は小径吸い口部２を覆うように吸い口側から被せられる筒状キャップ形状をしかつこの筒状キャップ形状の下端開口側がストロー本体の外周面に密着して一定距離を上下動する吸い口キャップ、４は吸い口キャップ３の閉じている上端面に切り込みにより形成した開閉用割れ目、５は吸い口キャップ３の下端開口側に設けた環状突起で、ストロー本体１の外周面の周溝６に係合するようになっている。
【００１２】
吸い口キャップはその上端面に形成された開閉用割れ目が可逆的に開閉される性能を有する限りいかなる素材から形成されることもできるが、例えば可撓性のプラスチックから形成されることができる。なお、開閉用割れ目４として、本実施例ではストロー本体１の小径吸い口部２により押し開かれるようにＸ状の切り込みにより構成したものを示したが、切り込みの形状はＸ状に限らず、押し開かれる形状であればいずれの形状でも良いことは勿論である。
【００１３】
ストロー本体１の周溝６は、吸い口キャップ３の環状突起５が少し係合すれば吸い口キャップ３の開口側がしまることにより止まるので、溝の深さは浅くて良いし、しかも図示のように下向きに傾斜させておけば吸い口キャップ３を口にくわえて下へ押して開くときに押しやすくなって吸い口キャップ３がスムーズに開くようになる。
【００１４】
図１に示すストローの閉じた状態では、小径吸い口部２の吸い口が吸い口キャップ３の上端面により閉じられると共に、ストロー本体１の外周面が吸い口キャップ３の環状突起５によりシールされるので、小径吸い口部２の吸い口から飲料水が吸い口の周囲にあふれ出ないし、仮にあふれ出ても前記したシール部分でシールされて飲料水が外部に洩れることがない。
【００１５】
図３に示すストローの開いた状態では、吸い口キャップ３の上端面が押し開かれた開閉用割れ目４によりストロー本体１の小径吸い口部２の周りに係合してその位置に止まるので、吸い口キャップ３はストロー本体１から容易に抜け落ちず、小径吸い口部２の吸い口から飲料水を吸飲することができる。
【００１６】
今、図１に示すストローの閉じた状態でストロー本体１を紙パックやポリ容器のストロー差し込み部分に突き刺して、紙パックやポリ容器を片手で持ってその吸い口キャップ３を口にくわえて図１の矢印７の方向に押し込むと、吸い口キャップ３はその開閉用割れ目４が押し開かれて移動して図３に示すストローの開いた状態となるので、紙パックやポリ容器内の飲料水を吸い口キャップ３から突出する小径吸い口部２の吸い口から吸飲することができる。
【００１７】
そして、飲みかけで止めて放置するときには、紙パックやポリ容器を片手で持ってくわえたままで吸い口キャップ３を図３の矢印８の方向に引き出すと、吸い口キャップ３が移動して開閉用割れ目４の復元力により吸い口キャップ３の上端面が閉じると共に環状突起５が周溝６に係合して、図１に示すストローの閉じた状態になるので、紙パックやポリ容器をそのまま放置しても、たとえ走行中の振動や衝撃により、また再度飲むときに強く握りしめたときの圧力により、さらに仕事や勉強中の人、高齢者や入院患者、手足の不自由な人などが倒しても、小径吸い口部２の吸い口から飲料水が洩れることがない。
【００１８】
上記実施例においては、図３に示すようにストローの開いた状態では、ストロー内での飲料水の流れが一直線になるので、豆乳やネクターなどの比較的粘性のある飲料水においてもスムーズに吸い出せ、飲みやすくなる。
【００１９】
なお、上記実施例においては、ストロー本体１の吸い口付近のみを示しているが、実際には従来のストローと同様に、長い一本ものや、二重管で構成された伸縮ものであることは勿論である。また、各部分の寸法や形状は図示したものに限定されず、本発明の特徴を阻害しない限り、いかなる寸法や形状であることもできる。
【実施例２】
【００２０】
本発明の第二態様の一実施例を図５〜図８を用いて説明する。図５はストローの閉じた状態を示す部分断面の側面図、図６は図５の吸い口開閉部材を示す斜視図、図７は図５のストローの閉じた状態から可動吸い口部が移動してストローが開いた状態を示す部分断面の側面図、図８は図７のストローを図７の線イ−イに沿う断面で切断したものを下側から見た図で、図中前記した実施例１のものと同一または相当部分には同一符号を付して説明を省略する。
【００２１】
図において、９はストロー本体１の吸い口部分に挿入固着される筒形状をしかつこの筒形状の外側に当たる上端面は開口すると共に内側に当たる下端面は閉じている吸い口開閉部材、１０は吸い口開閉部材９の開口上端面から挿入されて吸い口開閉部材９の内周面に密着して一定距離を上下動するように保持される可動吸い口部、１１は可動吸い口部１０の下部に形成した小径部、１２は吸い口開閉部材９の上端面開口側に設けた環状突起で、可動吸い口部１０の環状段部１３に係合するようになっている。なお、吸い口開閉部材９は実施例１における吸い口キャップと同様の素材から形成されることができ、その下端面には前記実施例１と同じ開閉用割れ目４がある。
【００２２】
図５に示すストローの閉じた状態では、小径部１１の下端口が吸い口開閉部材９の下端面により閉じられると共に、吸い口開閉部材９の環状突起１２が可動吸い口部１０の環状段部１３に係合してシール作用をするので、可動吸い口部１０の吸い口及び吸い口開閉部材９の上端開口から飲料水が外部に洩れることがない。
【００２３】
図７に示すストローの開いた状態では、吸い口開閉部材９の下端面が押し開かれた開閉用割れ目４により可動吸い口部１０の小径部１１の周りに係合してその位置に止まるので、可動吸い口部１０は吸い口開閉部材９から容易に抜け落ちず、可動吸い口部１０の吸い口から飲料水を吸飲することができる。
【００２４】
今、図５に示すストローの閉じた状態でストロー本体１を紙パックやポリ容器のストロー差し込み部分に突き刺して、紙パックやポリ容器を片手で持ってその可動吸い口部１０を口にくわえて図５の矢印７の方向に押し込むと、可動吸い口部１０はその開閉用割れ目４が押し開かれて移動して図７に示すストローの開いた状態となるので、紙パックやポリ容器内の飲料水を吸い口開閉部材９から突出してストロー本体１内に出る小径部１１を通して可動吸い口部１０の吸い口から吸飲することができる。
【００２５】
そして、飲みかけで止めて放置するときには、紙パックやポリ容器を片手で持ってくわえたままで可動吸い口部１０を図７の矢印８の方向に引き出すと、可動吸い口部１０が移動して開閉用割れ目４の復元力により吸い口開閉部材９の下端面が閉じると共に環状段部１３が環状突起１２に係合して、図５に示すストローの閉じた状態になるので、紙パックやポリ容器をそのまま放置しても、たとえ走行中の振動や衝撃により、また再度飲むときに強く握りしめたときの圧力により、さらに仕事や勉強中の人、高齢者や入院患者、手足の不自由な人などが倒しても、可動吸い口部１０の吸い口及び吸い口開閉部材９の上端開口から飲料水が洩れることがない。
【００２６】
上記実施例においては、図７に示すようにストローの開いた状態では、ストロー内での飲料水の流れが一直線になるので、豆乳やネクターなどの比較的粘性のある飲料水においてもスムーズに吸い出せ、飲みやすくなる。
【００２７】
なお、上記実施例においては、ストロー本体１の吸い口付近のみを示しているが、実際には従来のストローと同様に、長い一本ものや、二重管で構成された伸縮ものであることは勿論である。また、各部分の寸法や形状は図示したものに限定されず、本発明の特徴を阻害しない限り、いかなる寸法や形状であることもできる。
【産業上の利用可能性】
【００２８】
本発明は、紙パックやポリ容器等のストロー差し込み部分に突き刺して使用する飲料水用ストローに広く活用できる。
【図面の簡単な説明】
【００２９】
【図１】本発明の実施例１を示すストローの閉じた状態の部分断面側面図である。
【図２】図１の吸い口キャップを示す斜視図である。
【図３】図１のストローの閉じた状態から吸い口キャップが移動してストローが開いた状態を示す部分断面の側面図である。
【図４】図３を上からみた図である。
【図５】本発明の実施例２を示すストローの閉じた状態の部分断面側面図である。
【図６】図５の吸い口開閉部材を示す斜視図である。
【図７】図５のストローの閉じた状態から可動吸い口部が移動してストローが開いた状態を示す部分断面の側面図である。
【図８】図７のストローを図７の線イ−イに沿う断面で切断したものを下側から見た図である。
【符号の説明】
【００３０】
１：ストロー本体
２：小径吸い口部
３：吸い口キャップ
４：開閉用割れ目
５：環状突起
６：周溝
９：吸い口開閉部材
１０：可動吸い口部
１１：小径部
１２：環状突起
１３：環状段部
【図１】
2006136517.tif 000003
【図２】
2006136517.tif 000004
【図３】
2006136517.tif 000005
【図４】
2006136517.tif 000006
【図５】
2006136517.tif 000007
【図６】
2006136517.tif 000008
【図７】
2006136517.tif 000009
【図８】
2006136517.tif 000010